(57)【要約】【課題】短時間に均一粒子のフロックとして架橋させ、取り残される懸濁微粒子が生ずることまなく沈降分離を促進させ、かつ安全な被処理水の処理方法を提案することを目的とする。【解決手段】攪拌槽で被処理水溶液に無機系凝集剤を添加してフロック形成槽の後段に、例えば食品や医薬・香粧品分野で広く利用されているＣＭＣは高粘性・高エーテル化度の物が多いが、粘性とエーテル化度が低いＣＭＣを添加することにより、架橋凝集が起こりフロックの肥大化により、沈殿速度を高める架橋凝集剤を使用した被処理水の処理方法。【選択図】図１
2005319444.tif 000002
【特許請求の範囲】
【請求項１】
食品添加物に使用されている粘性体で、高分子架橋することを特長とする凝集剤。
【請求項２】
被処理水を攪拌槽で凝集剤と共に混和・フロック形成をし、処理をする工程を有し、被処理水中の懸濁物質を沈降分離又は浮上分離する水処理方法において、緩速攪拌槽の後段に請求項１記載の凝集剤を添加して処理することを特徴とする、被処理水の処理方法。
【発明の詳細な説明】
【技術分野】
【０００１】  本発明は、種々の被処理水を凝集沈殿装置により処理する、被処理水の処理方法に関する。
【背景技術】
【０００２】  従来、被処理水を処理する代表的な凝集剤として、無機系凝集剤として、ポリ塩化アルミニウム（ＰＡＣ）、硫酸アルミニウム（硫酸バンド）、ポリ硫酸第二鉄溶液（ポリ硫酸鉄）等が知られている（以下ポリ塩化アルミニウムや硫酸アルミニウム・ポリ硫酸第二鉄溶液等を「無機系凝集剤等」と称する）。
しかしながら、この被処理水の条件によっては、無機系凝集剤等ではフロックが形成されにくいか、フロックが形成されても微小なため、沈殿池で懸濁物質を固液分離されない欠点があった。【０００３】  このような欠点を解消する方法として、被処理水を攪拌槽で凝集剤と共にフロックを形成する処理工程を有し、被処理水の懸濁物質を沈降分離または浮上分離する水処理方法において、被処理水に有機系高分子凝集剤を使用して処理するか、或いは被処理水に無機系凝集剤等を加えた後に有機系高分子凝集剤等を使用して処理している。有機系高分子凝集剤として、ポリアクリドアマイド系・イミン・アミン系などから成るノニオン系凝集剤、アニオン系凝集剤、カチオン系凝集剤等が知られている（以下ポリアクリドアマイド系・イミン・アミン系などから成るノニオン系凝集剤、アニオン系凝集剤、カチオン系凝集剤等を「有機系高分子凝集剤等」と称する）。【０００４】  しかしながら、前述、有機系高分子凝集剤等を使用する処理方法では、本来凝集剤が有する人体に悪影響を及ぼす物質または残存モノマー量の数値により、水道水等には、使用できない欠点があった。
【発明の開示】
【発明が解決しようとする課題】
【０００５】  そこで、本発明者は、ダム、河川、湖沼等から取水する被処理水には、高濁度の場合や、低濁度・低水温・低Ｍアルカリの場合等の条件においも好適に処理できる方法について種々検討を重ねた結果本発明を完成するに至った。
【課題を解決するための手段】
【０００６】  すなわち、本発明は、攪拌槽で被処理水に無機系凝集剤を添加してフロック形成槽の後段に、例えば食品や医薬・香粧品分野で広く利用されているＣＭＣ（カルボキシルメチルセルロースナトリウム・カルボキシルメチルセルロースカルシウム）は高粘性・高エーテル化度の物が多いが、粘性とエーテル化度が低いＣＭＣを添加することにより、架橋凝集が起こりフロックの肥大化により、沈殿速度を高める架橋凝集剤を使用した被処理水の処理方法である。
【発明の効果】
【０００７】  本発明方法によれば、被処理水が低濁度から高濁度の広範囲においても、低水温、低Ｍアルカリの場合でも、優れた清澄化効果を有し、また使用する凝集剤も安価であり、使用量も低減させることができる。さらに、本発明方法によれば、クリプトスポリジウムの２ｍμ粒子をも沈降除去することができる。【０００８】  無機系凝集剤のフロックは、接触回数が多く、できるだけ長い時間被処理水中に懸濁浮遊させた方が水質の清澄度が得られる。しかしながら、フロックが微小であれば、沈殿池で固液分離の沈降がされ難くく、キャリオーバーしがちである。よって、本発明方法は、短時間に均一粒子のフロックとして架橋されるので、取り残される懸濁微粒子が生じず、沈降分離を促進させる安全な被処理水の処理方法である。
【発明を実施するための最良の形態】
【０００９】  本発明における被処理水としは、ダム、河川、湖沼、汚濁水、製造用原水、工業用原水、浄水用原水、下水排水、工場廃水等が挙げられる。【００１０】  次に本発明方法について横流沈殿池を例に説明するが、本発明は、以下の説明のみに限定されるものではない。【００１１】  図１は、本発明の処理方法に適した横流沈殿池の概略図である。
１は被処理水流入部、２は急速攪拌槽、３は緩速攪拌槽（フロック形成槽）、４は水流傾斜板を設置した沈殿槽、５は傾斜板を設置した沈殿槽、６は集水トラフ、７は無機系凝集剤用貯留タンク、８は無機系凝集剤流入部、９は架橋凝集剤溶解タンク、１０は架橋凝集剤の緩速攪拌槽流入部、１１は被処理水を示す。【００１２】  本発明方法に用いる架橋凝集剤のＣＭＣは、粘性とエーテル化度が低いものが良い。例えば１％粘度時（温度２５℃，ｍＰａ・ｓ）２００以下、エーテル化度０．６以下が良い。好ましくは１％粘度時（温度２５℃，ｍＰａ・ｓ）１５５以下、エーテル化度０．５以下が望ましい。【００１３】  なお、本来ＣＭＣの用途は、増粘剤、流動化剤、粘着剤、分散剤、保水剤等の広い分野に用いられ、反凝集性とチクソトロピー（揺変性）の性状を有するものである。
チクソトロピー（揺変性）とは、静止している時と動揺している時で状態が異なることを云う。本来ＣＭＣ溶液は静置時、分子同士のからみや合いや、水の分子との相互作用で網目構造を作りやすく、ゲル状態を帯びますが、これに攪拌などの動揺を与えると、網目構造が壊れてゲル状態が消失するものを云う。
本発明はＣＭＣ溶液に攪拌などの動揺を与えても網目構造の相互作用を残したまま、架橋凝集させるまったく新しい使用箇所・使用方法である。このことにより、上水道の維持管理が容易となり、処理水質の安定向上化が計られる架橋凝集剤である。【００１４】  本発明に使用する架橋凝集剤のＣＭＣは、フロックの沈殿・沈降促進の即効性効果が得られるもので、長時間、接触回数頻度の多い微細フロックを沈殿池に流入する以前の短時間の緩速攪拌で、フロックを肥大化させ、沈降を促進させる方法である。【００１５】  本発明の架橋凝集剤のＣＭＣは、３緩速攪拌槽の後段に注入するとで、短時間の緩速攪拌で、フロックを肥大化させることが出来る。【００１６】  本発明で使用する架橋凝集剤のＣＭＣは、前段の急速攪拌槽に注入する無機系凝集剤として、ポリ塩化アルミニューム（ＰＡＣ）、硫酸アルミニューム（硫酸バンド）、ポリ硫酸第二鉄溶液（ポリ硫酸鉄）等種類を問わず使用でき、効果的にフロックを肥大化させることが出来る。【００１７】  なお、本発明で使用する架橋凝集剤のＣＭＣは、無機系凝集剤の替わりに、粒子状物質を含有する水溶液に凝集剤を添加して粒子状物質をフロック化させた懸濁液を調整し、次にこの懸濁液を２急速攪拌槽に注入しても使用でき、効果的にフロックを肥大化させることが出来る。
【特許文献１】特願２００４−３７４６６号
【００１８】  本発明で使用する架橋凝集剤のＣＭＣの溶解に使用する水は、電気石（トルマリン、ドラバイト等）やサンゴ石等により接触・ろ過することで、ＣＭＣの溶解性を速めると同時に、酸化しにくく安定し鮮度を保つことが出来る。【００１９】    本発明方法によれば、無機系凝集剤等を使用しても、従来の欠点とされた被処理水の条件によって、微小のフロックで取り残される懸濁微粒子が生ずることもなく、沈降分離を促進させ、被処理水を清澄化することができる。
【図面の簡単な説明】
【００２０】
【図１】    横流沈殿池の断面図
【符号の説明】
【００２１】  １・・・・原水流入部
３・・・・緩速攪拌槽
９・・・・架橋凝集剤溶解タンク
１０・・・架橋凝集剤の緩速攪拌槽流入部
【図１】
2005319444.tif 000003